(57)【要約】【課題】  本発明は、ハンディタイプのＬＥＤ懐中電灯を使用した、ペン型ライトの発光強化を目的とする改造において、ハンディタイプのＬＥＤ懐中電灯とペン型ライト発光部を容易且つしっかりと連結できる接続具を提供する。【解決手段】  この課題を解決するために、ハンディタイプのＬＥＤ懐中電灯とペン型ライト発光部を連結する接続具を提供する。本接続具は、プラスチック素材にて形成され、懐中電灯を内側凸部２に嵌め込み、接続具本体を閉じ、ツメ（押切タイプ）４・ツメ（内入りタイプ）７・引掛押切８・引掛（内入りタイプ）９等の保持部で固定・把持する。筒状になった１先端のネジ穴５にペン型ライト発光部を螺嵌する。【選択図】図３
2013251248.tif 000002
【特許請求の範囲】
【請求項１】
ハンディタイプのＬＥＤ懐中電灯とペン型ライト発光部を連結する為の接続具である。
【請求項２】
懐中電灯本来の機能を失わせない為に脱着自在であることを特徴とする請求項１に記載の接続具。
【発明の詳細な説明】
【技術分野】
【０００１】  本発明は、懐中電灯、殊にハンディタイプのＬＥＤ懐中電灯とペン型ライトの発光部を連結するための接続具に関するものである。
【背景技術】
【０００２】  コンサートやイベント会場等で応援グッズとして使用されているペン型ライト。市販のペン型ライトは発光が弱く良好な明るさを得ることが難しい為、多くのユーザーはその発光を強化させ使用している。強化させる際、市販のペン型ライトの柄の部分（光源）を発光の強い市販のハンディタイプのＬＥＤ懐中電灯に切り換え使用している。現状、その改造において、ハンディタイプのＬＥＤ懐中電灯とペン型ライトの発光部を連結する為のパーツは存在せず、接着剤やビニールテープ等が用いられ接着されている。
【先行技術文献】
【特許文献】
【０００３】
【特許文献１】
【特許文献２】
【非特許文献】
【非特許文献】  ｈｔｔｐ：／／ａｍｅｂｌｏ．ｊｐ／ｔａｔｕｎｉｉ９６／ｅｎｔｒｙ−１０９００２０９９８３．ｈｔｍｌ
【０００４】
【非特許文献】  ｈｔｔｐ：／／ｍｏｎｔａ．ｍｏｅ．ｉｎ／ｗｐ／２０１０／０５−１５／２３−５９  ７４７
【発明の概要】
【発明が解決しようとする課題】
【０００５】  しかし、接着剤やビニールテープ等を用いたハンディタイプのＬＥＤ懐中電灯とペン型ライト発光部の接着には強度的な問題があり、実状で使用中に分裂し飛んでいってしまう等のアクシデントが多く見受けられている。また、イベント中にペン型ライトは幾度となく強く振られる為、接続部には強い負荷が掛かり発光部の根元が折れてしまうことが多々ある。【０００６】  また、接着剤等を用いた接着では、その後ペン型ライトとしての使用しかできず、懐中電灯本来の機能を失わせてしまう。【０００７】  そこで、この事情を鑑み、暗いイベント会場でも良好な明るさを得ることができ、懐中電灯本来の機能を失わせず、ハンディタイプのＬＥＤ懐中電灯とペン型ライト発光部をしっかりと連結できる接続具を提供することを課題とした。
【課題を解決するための手段】
【０００８】  本発明の接続具は、この課題を解決する為のハンディタイプのＬＥＤ懐中電灯とペン型ライト発光部を容易且つしっかりと連結する接続具である。また、使用中に発光部根本へ掛かる負荷を軽減させる為に、発光部と同素材のプラスチックを採用することと、本接続具上部ネジ穴の先端と発光部傘の直径を同じにし、本接続具装着の際にネジ穴の先端と傘が密着する設計を特徴とする。【０００９】  また、懐中電灯本来の機能を失わせない為に脱着自在であることが好ましい。
【発明の効果】
【００１０】  本発明の接続具は、ハンディタイプのＬＥＤ懐中電灯とペン型ライト発光部をしっかり固定・連結することで、使用中の分裂・破損を防ぐ。素材にプラスチックを採用し、接続具本体ネジ穴上部と発光部傘が密着する設計にすることで力学的な問題から生じるペン型ライト発光部の破損を防止する。取り外しを可能とし、懐中電灯本来の機能を失わせない。
【図面の簡単な説明】
【００１１】
【図１】本発明の懐中電灯とペン型ライトを接続するための接続具の一実施例を示す正面図である。（一体型ツメ押切・ヒンジタイプ）
【図２】本接続具の、懐中電灯とペン型ライトを接続するための接続具の一実施例を示す全体図である。（一体型ツメ押切・ヒンジタイプ）
【図３】本接続具の、展開図（一体型ツメ押切・ヒンジタイプ）裏である。
【図４】本接続具の、展開図（一体型ツメ押切・ヒンジタイプ）表である。
【図５】［図２］以外の形状で考えられる懐中電灯とペン型ライトを接続するための接続具の、側面図である。（二分割ツメ・引掛タイプ）
【図６】［図２］以外の形状で考えられる懐中電灯とペン型ライトを接続するための側面図である。（二分割ツメ・引掛押切タイプ）
【図７】［図２］以外の形状で考えられる懐中電灯とペン型ライトを接続するための、側面図である。（二分割ツメ押切・引掛押切タイプ）
【発明を実施するための形態】
【００１２】  以下、本発明の実施の形態を図１〜７について説明する。
【００１３】  図３においては、１はプラスチック素材にて一体化形成された接続具本体。懐中電灯１３を内側凸部２に嵌め込み、ヒンジ３を軸に接続具本体を閉じ二カ所のツメ（押切タイプ）４で固定・把持する。筒状になった１先端のネジ穴５にペン型ライト発光部１０を螺嵌する。
なお、図３においてはツメが二カ所の設計となっているが、例えば、ツメが一カ所の場合、または複数の場合もある。また、図３においてツメは接続具の閉塞を保持する保持部となるが、保持部は、例えば、ツメ（押切タイプ）４と略同様の役割であるツメ（内入りタイプ）７や引掛押切８、引掛（内入りタイプ）９等の形状である。
【００１４】  図５においては、１は二分割タイプの接続具本体。懐中電灯１３を内側凸部２に嵌め込み、引掛９部分を咬持させ、接続具本体を閉じ二カ所のツメ（内入りタイプ）７で固定・把持する。筒状になった１先端のネジ穴５にペン型ライト発光部１０を螺嵌する。なお、図５においては引掛・ツメが二カ所の設計となっているが、例えば、ツメが一カ所の場合、または複数の場合もある。
【００１５】  図６においては、１は二分割タイプの接続具本体。懐中電灯１３を内側凸部２に嵌め込み、引掛押切８部分を咬持させ、接続具本体を閉じ二カ所のツメ（内入りタイプ）７で固定・把持する。筒状になった１先端のネジ穴５にペン型ライト発光部１０を螺嵌する。なお、図６においては引掛・ツメが二カ所の設計となっているが、例えば、ツメが一カ所の場合、または複数の場合もある。
【００１６】  図７においては、１は二分割タイプの接続具本体。懐中電灯１３を内側凸部２に嵌め込み、引掛押切８部分を咬持させ、接続具本体を閉じ二カ所のツメ（押切タイプ）４で固定・把持する。筒状になった１先端のネジ穴５にペン型ライト発光部１０を螺嵌する。なお、図７においては引掛・ツメが二カ所の設計となっているが、例えば、ツメが一カ所の場合、または複数の場合もある。
【００１７】  また、照射調節窓６を設けることで接続具本体を装着したままでも懐中電灯の照射調節を可能とする。接続具の形態として照射調節窓がないタイプもある。
【００１８】  本接続具装着の際、懐中電灯先端１５と発光部ねじ切り部１２を本接続具にて直線的に密着・固定させることにより光の漏れを防ぎ、良好な明るさを得ることができる。
【００１９】  また、本接続具上部ネジ穴５の先端と、発光部傘１１の最下部の直径を同じにし、本接続具装着の際にネジ穴５の先端と傘１１の最下部が密着するよう設計することで、使用中に発光部根本へ掛かる負荷を軽減させる。
【符号の説明】
【００２０】１  接続具本体
２  内側凸部
３  ヒンジ
４  ツメ（押切タイプ）
５  ネジ穴
６  照射調節窓
７  ツメ（内入りタイプ）
８  引掛押切
９  引掛（内入りタイプ）
１０  発光部
１１  傘
１２  ねじ切り部
１３  懐中電灯本体
１４  光源
１５  懐中電灯先端
【図１】
2013251248.tif 000003
【図２】
2013251248.tif 000004
【図３】
2013251248.tif 000005
【図４】
2013251248.tif 000006
【図５】
2013251248.tif 000007
【図６】
2013251248.tif 000008
【図７】
2013251248.tif 000009